【手続補正書】
【提出日】平成20年7月30日(2008.7.30)
【手続補正１】
【補正対象書類名】特許請求の範囲
【補正対象項目名】請求項１
【補正方法】変更
【補正の内容】
【請求項１】
インキ付けロール(１)と該インキ付けロールに押圧接触した絞り部材(20)との間に形成され該ロールに沿う長手方向の両端が堰部材(12)(12)によって閉塞したインキ貯留部(11)と、インキ貯留部(11)に臨みインキの供給、回収を兼用するノズル(４)と、インキ貯留部(11)の近傍に配備され該貯留部(11)へのインキの供給と回収を行うインキ供給・回収装置(６)とを具えた印刷機において、
インキ供給・回収装置(６)には、インキの補充を行うインキ補給装置(３)が連繋されており、
インキ供給・回収装置(６)は、内部を負圧と正圧に切り替え可能な密閉タンク(60)と、該密閉タンク内に出し入れ可能に配備されたインキ缶(63)と、前記ノズル(４)に連繋され密閉タンク(60)を貫通してインキ缶(63)に達する第１パイプ(61)とによって構成され、
インキ補充装置(３)は、インキ貯留部(11)から離れた位置にあるインキタンク(30)と、該インキタンク(30)から前記密閉タンク(60)側に延びる流通管(44)と、密閉タンク(60)を貫通して一端が前記インキ缶(63)内に侵入し、他端が流通管(44)に接続された第２パイプ(62)と、流通管(44)上に配備されたポンプ手段(48)とによって構成されている印刷機。
【手続補正２】
【補正対象書類名】明細書
【補正対象項目名】０００７
【補正方法】変更
【補正の内容】
【０００７】
本願の第１発明は、インキ付けロール(１)と該インキ付けロールに押圧接触した絞り部材(20)との間に形成され該ロールに沿う長手方向の両端が堰部材(12)(12)によって閉塞したインキ貯留部(11)と、インキ貯留部(11)に臨みインキの供給、回収を兼用するノズル(４)と、インキ貯留部(11)の近傍に配備され該貯留部(11)へのインキの供給と回収を行うインキ供給・回収装置(６)とを具えた印刷機において、
インキ供給・回収装置(６)には、インキの補充を行うインキ補給装置(３)が連繋されており、
インキ供給・回収装置(６)は、内部を負圧と正圧に切り替え可能な密閉タンク(60)と、該密閉タンク内に出し入れ可能に配備されたインキ缶(63)と、前記ノズル(４)に連繋され密閉タンク(60)を貫通してインキ缶(63)に達する第１パイプ(61)とによって構成され、
インキ補充装置(３)は、インキ貯留部(11)から離れた位置にあるインキタンク(30)と、該インキタンク(30)から前記密閉タンク(60)側に延びる流通管(44)と、密閉タンク(60)を貫通して一端が前記インキ缶(63)内に侵入し、他端が流通管(44)に接続された第２パイプ(62)と、流通管(44)上に配備されたポンプ手段(48)とによって構成されている。
【手続補正３】
【補正対象書類名】明細書
【補正対象項目名】００１４
【補正方法】変更
【補正の内容】
【００１４】
上記インキ貯留部(11)には、インキ液面高さを設定範囲に制御するための液面センサー(図示せず)が設けられている。
インキ付けロール(１)の上方に１又は複数の洗浄液供給部(７)が配備される。
上記両堰部材(12)(12)には廃液吸引管(13)(13)が接続され、該廃液吸引管(13)(13)にはポンプ(図示せず)が連繋され、該管は前記排水溝(52)に開口している。
堰部材(12)にはインキ貯留部(11)底部に面して吸引孔(図示せず)が開設され、後記の如く、ロール(１)(２)を洗浄した際に、インキ貯留部(11)に溜まった洗浄廃液を該吸引孔を通じて、洗浄廃液放出部(５)である排水溝(52)に排水できる。
【手続補正４】
【補正対象書類名】明細書
【補正対象項目名】００１６
【補正方法】変更
【補正の内容】
【００１６】
インキ供給・回収装置(６)
図２、図３、図４に示す如く、密閉ダンク(60)と、密閉タンク(60)内に出し入れ可能に配備されたインキ缶(63)と、密閉タンク(60)を貫通して一端がインキ缶(63)に侵入し、他端が密閉タンク(60)外に突出した第１パイプ(61)、該第１パイプ(61)に連通し前記インキ貯留部(11)に臨んだノズル(４)と、密閉タンク(60)に連繋され該密閉タンク(60)内を負圧と正圧に切り替える加圧及び減圧用エアー回路Ｙとによって構成される。
【手続補正５】
【補正対象書類名】明細書
【補正対象項目名】００２２
【補正方法】変更
【補正の内容】
【００２２】
図３に示す如く、流通管(44)は、ユニットフレーム(100)の側壁の外側にて上部から下部に向かう縦管(44a)と、縦管(44a)の上端から前記密閉タンク(60)に向かう長尺フレキシブルチューブ(44b)と、縦管(44a)の下端から延長した短尺フレキシブルチューブ(44c)とからなる。
長尺フレキシブルチューブ(44b)のインキ供給・回収装置(６)側先端は、電磁式切替え弁(45)を介して、前記密閉タンク(60)内のインキ缶(63)と、洗浄液供給管(72)とに選択的に切替え可能に接続される。
切替え弁(45)とインキ缶(63)との間は、前記密閉タンク(60)の天井壁を挿脱可能に貫通し、一端がインキ缶(63)に侵入した第２パイプ(62)によって連繋されている。切替え弁(45)は、第２パイプ(62)を閉じて、流通管(44)及び洗浄液供給管(72)の両方から遮断することもできる。
長尺フレキシブルチューブ(44b)は、前記密閉タンク(60)の横移動ストロークに対して余裕のある長さである。
短尺フレキシブルチューブ(44c)は、流通管(44)をインキタンク(30)と洗浄廃液放出部(５)である排水溝(52)とに切り換える切換え部(46)となっており、短尺フレキシブルチューブ(44c)の先端を手動でインキタンク(30)に浸け、或いは短尺フレキシブルチューブ(44c)をインキタンク(30)から外して排水溝(52)へ向けることによって、切り換えできる。
【手続補正６】
【補正対象書類名】明細書
【補正対象項目名】００３０
【補正方法】変更
【補正の内容】
【００３０】
粘度カップ(90)にインキを供給するインキ供給管(97)は、前記インキ流路系Ｆ1のインキタンク(30)から延びて密閉ケース(94)の上端板(96)を貫通し、粘度カップ(90)の上方で開口している。インキ供給管(97)には弁(97a)が設けられている。
密閉ケース(94)の下端端板(96a)を貫通して排出管(98)がインキタンク(30)に開口する様に繋がれる。排出管(98)には切替え弁(98a)、該切替え弁(98a)よりインキタンク(30)側に逆止弁(98b)が設けられる。
切替え弁(98a)は、排出管(98)の遮断、密閉ケース(94)とインキタンク(30)の連通或いは密閉ケース(94)と洗浄液放出部(５)の連通の３位置の切替えが可能である。
逆止弁(98b)は、密閉ケース(94)からインキタンク(30)へのインキの流れは許すが、その逆の流れは阻止する。
上記切替え弁(98a)から前記洗浄液放出部(５)へ放出管(98c)が延びている。
【手続補正７】
【補正対象書類名】明細書
【補正対象項目名】００３１
【補正方法】変更
【補正の内容】
【００３１】
密閉ケース(94)を貫通して加圧及び減圧用の共用管(35´)を介してエアー回路Ｙ´が連繋される。該加圧及び減圧用エアー回路Ｙ´は、前記インキ供給・回収装置(６)を動作させる加圧及び減圧用エアー回路Ｙと同様の構成であるので、詳細説明は省略する。